(57)【要約】   【課題】  容易に曲面形成できて確実に漏水が防止できる外装パネル用役物を提供することを目的とする。  【解決手段】  外装パネル用役物２５は建築物の外壁本体２２の出隅部に設けられる外装パネル２３の下端部２３ａを覆って胴縁２６の側面２６ａに固着される。外装パネル用役物２５は第一垂直材２５ａとこの第一垂直材２５ａに平行な第二垂直材２５ｂと水平材２５ｃから成り、第一垂直材２５ａは胴縁２６の側面２６ａに沿うように円弧状に曲げ形成される。第一垂直材２５ａと水平材２５ｃには複数の第一凹部３５と第二凹部３６がそれぞれ絞り加工で形成され、第一凹部３５は平面視略台形状で形成される。第二凹部３６は平面視二等辺三角形状で底辺が第一凹部３５と連結するとともに頂点Ｐ２は第二垂直材の近傍に亘って徐々に浅く形成される。【選択図】  図２
2008267071.tif 000002
【特許請求の範囲】
【請求項１】
建築物の外壁本体の出隅部に設けられる外装パネルの上下端部の両方又はいずれか一端部を覆って外装下地材の側面に固着される外装パネル用役物であって、
前記外装下地材の側面は垂直で平面視曲面に形成され、
前記外装パネル用役物は第一垂直材とこの第一垂直材に平行な第二垂直材が第一垂直材の下端部と第二垂直材の下端部を水平材で連結して成る断面略字Ｕ形状の帯状に形成され、
前記外装パネル用役物を前記第一垂直材が前記外装下地材の側面に沿うように曲げ形成するに、前記第一垂直材に複数の垂設する第一凹部と前記水平材に複数の第二凹部が絞り加工で形成され、
前記第一凹部は平面視略台形状で前記外装下地材側に突出して形成され、
前記第二凹部は平面視二等辺三角形状でその底辺が前記第一凹部の底辺と連続する垂直断面略台形状で、二等辺三角形状の頂点が前記第二垂直材の近傍に亘って徐々に浅く形成されることを特徴とする外装パネル用役物。
【請求項２】
請求項１に記載の外装パネル用役物であって、前記第一垂直材が前記外装下地材の側面に沿うように水平視円弧状に形成されることを特徴とする外装パネル用役物。
【発明の詳細な説明】
【技術分野】
【０００１】
本発明は、外壁本体に取付ける外装パネル用役物に関し、特に、建築物の出隅部における外装下地材の側面が曲面の場合に用いられる外装パネル端部用のパネル用役物の技術に関する。
【背景技術】
【０００２】
従来、外装パネル用役物として、例えば、特許文献１の記載が知られている。
【０００３】
図６に示すように、特許文献１の外装パネル用役物３は建築物の外壁土台部８に設けられる外装パネル１の下端部用の端部カバー材である。外壁土台部８には外壁本体６が設けられ、外装パネル用役物３は胴縁１４を介して外壁本体６に取付けられる。
【０００４】
そして、外装パネル用役物３は平行する第一垂直材３ｃと第二垂直材３ｂが水平材３ａと連結して断面略Ｕ字状に形成されて成り、第一垂直材３ｃが釘等の固着具１７を用いて胴縁１４と外壁本体６に固着される。この水平材３ａには切り起こし片７を上方に切り起こすことで水抜き孔４が形成される。
【０００５】
なお、外装パネル用役物３の下方に水切り部材９が設けられ、水切り部材９は第一垂直材９ａと斜材９ｂと第二垂直材９ｃから成り、第一垂直材９ａが釘等の固着具１６を用いて胴縁１４に固着される。このため、水切り部材９は水抜き孔４からの雨水を外壁本体６から外側に流すことができる。
【特許文献１】特開２００１−１５２６５５号公報
【発明の開示】
【発明が解決しようとする課題】
【０００６】
ところが、外壁土台部８の側面８ａが平面視曲面形状の場合には胴縁１４の側面１４ａも同様に平面視曲面形状に形成されるので、外装パネル用役物３を胴縁１４の側面１４ａに当接させるために平面視曲面形状に曲げる必要があった。
【０００７】
このため、図７、図８に示すように、第一垂直材３ｃに複数の垂直な第一スリット１０（側部１０ａ、１０ｂ）を幅Ｑで形成するとともに、水平材３ａに第一スリット１０の一側部１０ａと連続する第二スリット１１（側部１１ａ、１１ｂ）を切欠き形成し、側部１０ａ、１０ｂを当接し且つ側部１１ａ、１１ｂを重ねることにより水切り部材９を胴縁１４に沿って曲面形成していた。しかしながら、この方法では第一スリット１０と第二スリット１１の任意の位置で雨水が漏れてしまうという問題があった。また、第一スリット１０と第二スリット１１のシャープエッジによって作業時に怪我をする可能性があり、外観性が悪いので品質性に劣るという問題があった。
【０００８】
そこで、本発明はかかる従来技術の問題に鑑みなされたものであって、容易に曲面形成できて確実に漏水が防止できる外装パネル用役物を提供することを目的とする。
【課題を解決するための手段】
【０００９】
請求項１の発明は、建築物の外壁本体の出隅部に設けられる外装パネルの上下端部の両方又はいずれか一端部を覆って外装下地材の側面に固着される外装パネル用役物であって、前記外装下地材の側面は垂直で平面視曲面に形成され、前記外装パネル用役物は第一垂直材とこの第一垂直材に平行な第二垂直材が第一垂直材の下端部と第二垂直材の下端部を水平材で連結して成る断面略Ｕ字形状の帯状に形成され、前記外装パネル用役物を前記第一垂直材が前記外装下地材の側面に沿うように曲げ形成するに、前記第一垂直材に複数の垂設する第一凹部と前記水平材に複数の第二凹部が絞り加工で形成され、前記第一凹部は平面視略台形状で前記外装下地材側に突出して形成され、前記第二凹部は平面視二等辺三角形状でその底辺が前記第一凹部の底辺と連続する垂直断面略台形状で、二等辺三角形状の頂点が前記第二垂直材の近傍に亘って徐々に浅く形成されることを特徴としている。
【００１０】
請求項２の発明は、請求項１に記載の外装パネル用役物であって、前記第一垂直材が前記外装下地材の側面に沿うように水平視円弧状に形成されることを特徴としている。
【発明の効果】
【００１１】
請求項１の発明によれば、前記第一垂直材に複数の垂設する第一凹部と前記水平材に複数の第二凹部とがそれぞれ絞り加工で形成される。このとき、前記第一凹部は平面視略台形状で前記外装下地材側に突出して形成され、前記第二凹部は平面視二等辺三角形状でその底辺が前記第一凹部の底辺と連続する垂直断面略台形状で、二等辺三角形状の頂点が前記第二垂直材の近傍に亘って徐々に浅く形成される。
【００１２】
このため、前記第一垂直材は複数の第一凹部によって絞られるので容易に縮径するので前記外装下地材の側面に沿って曲げることができる。同様に、前記水平材は平面視二等辺三角形状の複数の第二凹部によって絞られるので、前記第二垂直材から前記第一垂直材に亘って容易に絞り代を変化させながら縮径できる。そして、前記第二垂直材も前記外壁土台部の側面に平行な曲面となる。
【００１３】
このように、前記外装パネル用役物は一体的に前記外装下地材の側面に沿って容易に曲面形状が形成できるので、確実に漏水を防止することができる。またスリットによる切欠き曲面形成ではないので、スリットのシャープエッジによって作業時に怪我をすることがなく、外観性も向上するので品質性に優れる。
【００１４】
請求項２の発明によれば、前記第一垂直材が前記外装下地材の側面に沿うように水平視円弧状に形成されるので、請求項１に記載の効果と同様の効果を得ることができる。
【発明を実施するための最良の形態】
【００１５】
以下に、本発明の実施形態を図１〜図５に基づいて説明する。
【００１６】
＜外装パネル用役物の構成＞
図１、図２、図３、図４に示すように、本発明の外装パネル用役物２５は建築物の外壁本体２２の出隅部に設けられる外装パネル２３の下端部２３ａに配置され、外装下地材側としての胴縁２６を介して外壁土台部２４に固着される。外装パネル用役物２５は外装パネル２３の切断端部を隠したり外装パネル２３の反りを押え込んだりする役目がある。
【００１７】
外装パネル用役物２５は、平行する一対の第一垂直材２５ａと第二垂直材２５ｂが水平材２５ｃで連結して断面略Ｕ字形状に形成される。水平材２５ｃには約直径６ｍｍの水抜き孔４１を備え、水抜き孔４１からの雨水を水切り部材２１によって外壁本体２２から外側に排出できる。第一垂直材２５ａの上端部に折り重ね部２５ｄと第二垂直材３２の上端部に折返し部２５ｅが設けられる。
【００１８】
水切り部材２１は第一垂直材３１とこの第一垂直材３１に平行な第二垂直材３２が第一垂直材３１の下端部３１ａから下方傾斜する斜材３３で第二垂直材３２の上端部３２ａと連結して成る垂直断面略Ｚ字形状の帯状で、第一垂直材３１が外壁土台部２４の側面２４ａに沿うように円弧状に曲げ形成される。第一垂直材３１の上端部は折り重ね部３１ｂを設け、第二垂直材３２の下端部は折返し部３２ｂが設けられる。
【００１９】
外装パネル用役物２５の第一垂直材２５ａは胴縁２６を介して水切り部材２１の第一垂直材３１と共に外壁土台部２４に釘等の固着具２９を用いて固着される。このとき、胴縁２６と第一垂直材３１との間に防水テープ２７と透湿防水シート２８が用いられる。
【００２０】
ここで、外壁土台部２４の側面２４ａは垂直で平面視円弧状に形成されるので、水切り部材２１の第一垂直材３１、胴縁２６、外装パネル２３、外装パネル用役物２５は互いが平行になるようにそれぞれ平面視円弧状に形成される。
【００２１】
そして、外装パネル用役物２５の第一垂直材２５ａと水平材２５ｃにそれぞれ複数の第一凹部３５と第二凹部３６が絞り加工で形成され、第一凹部３５は胴縁２６側に突出して平面視略台形状に形成される。
【００２２】
第二凹部３６は平面視二等辺三角形状で底辺Ｑ１（位置Ｐ１と位置Ｐ１の間）は第一垂直材２５ａの下端部２５ｆにおける第一凹部３５の略台形状の底辺Ｑ１と同じである。そして、第二凹部３６は第一凹部３５と連続して形成され、第二凹部３６の垂直断面は略台形状で、平面視二等辺三角形状の頂点Ｐ２である第二垂直材の近傍に亘って徐々に浅くなるように形成される。
【００２３】
このように、外装パネル用役物２５は第一凹部３５と第二凹部３６の絞り加工によって第一垂直材２５ａが胴縁２６の側面２６ａの円弧面と略同半径を持つ円弧状の長尺帯状に容易に形成される。
【００２４】
外装パネル２３は断熱性、遮音性等を目的として、内部の断熱材を両側から薄肉の金属板で被覆してなる金属サイディングが用いられる。複数の外装パネル２３は外壁本体２の下から上に向かって横張り、又は左右方向の縦張りで組付けられる。
【００２５】
外装パネル用役物２５は板厚０．３５ｍｍの薄厚鋼板を板金によって絞り加工して一体形成されるが、両表面にアルミ・亜鉛合金メッキを施し、さらに表面側となる面にフッ素樹脂塗装、裏面側にポリエステル樹脂塗装が施される。
【００２６】
＜外装パネル用役物の作用＞
図５に示すように、いま、胴縁２６の側面２６ａの半径Ｒ１、外装パネル用役物２５の第一垂直材２５ａの第一凹部３５における半径も略同じ半径Ｒ１、水平材２５ｃの水平幅Ｔ、第一凹部３５の台形形状の上底Ｓ１、下底Ｓ２、側辺Ｓ３とし、外装パネル用役物２５を９０度の円弧に曲げる際に必要な第一凹部３５の個数をＮとする。
【００２７】
外装パネル用役物２５は第一凹部３５の形成によって直線状態から円弧面に形成する際に、一個の第一凹部３５によって変化する角度θは第一垂直材３１の点Ｐが位置Ｐ１に移動するので、二等辺三角形の頂点Ｐ２における頂角θ１が頂角θ２に縮小することから、縮小した角度θ＝頂角θ１−頂角θ２である。
【００２８】
二等辺三角形の底辺においては、底辺縮小幅Ｗ＝Ｓ１＋２×Ｓ３−Ｓ２なので、ｓｉｎθ＝Ｗ／Ｔとなる。このため、必要な第一凹部３５の個数はＮ＝９０°／θとして求められ、このＮ値を目安にして外装パネル用役物２５を絞り加工によって容易に９０度に曲げることができる。
【００２９】
このように、外装パネル用役物２５は断面略Ｕ字形状の円弧状の帯状に形成する際に、絞り加工によって第一垂直材２５ａと水平材２５ｃにそれぞれＮ個の台形形状の第一凹部３５と二等辺三角形状の第二凹部３６を形成することにより、外装パネル用役物２５を一体的に胴縁２６の側面２６ａの半径に合わせて曲げ加工して固着できる。
【００３０】
さらに、水平材２５ｃに形成される第二凹部３６は二等辺三角形状で底辺（位置Ｐ１と位置Ｐ１の間）から頂点Ｐ２である第二垂直材３２の近傍に亘って徐々に浅く形成されるので、底辺（位置Ｐ１と位置Ｐ１の間）近傍は頂点Ｐ２に比べて容易に大きく曲げ加工できる。
【００３１】
このため、水平材２５ｃは水平面内において確実且つ容易に胴縁２６の側面２６ａに対応して曲面が形成できるとともに、第二垂直材２５ｂも容易に連続的に曲面が形成されるので、外装パネル用役物２５全体は成形性に優れて見栄えがよくなり品質性が向上する。
【００３２】
外装パネル用役物２５は鋼板を絞り加工によって板金するだけの簡単な構造で一体形成されるので、低コストで確実に漏れの発生が防止できる。
【００３３】
なお、第一垂直材２５ａの台形状の第一凹部３５と胴縁２６との隙間４０には必要に応じてシール材を施工される。
【００３４】
以上、本発明の実施例を図面に基づいて説明したが、具体的な構成はこの実施例に限られるものではなく本発明の要旨を逸脱しない範囲の設計変更等があっても本発明に含まれる。
【００３５】
たとえば、胴縁２６の側面２６ａが垂直で平面視円弧以外の曲面に形成される場合には、外装パネル用役物２５もその曲面に対応して形成される。
【００３６】
第二凹部３６の二等辺三角形状は胴縁２６の側面の曲面形状に対応して不等辺三角形状に形成することもできる。
【００３７】
外装パネル用役物２５は外装パネル２３の上端部に形成することもできる。
【００３８】
外装パネル用役物２５と水切り部材２１に同色且つ同素材を用いると統一した外観が得られるので品質性が向上する。  
【図面の簡単な説明】
【００３９】
【図１】本発明の実施形態における、建築物の外壁本体２２の出隅部に設けられる外装パネル用役物２５の状態を示す一部断面視側面図である。
【図２】本発明の実施形態における、外装パネル用役物２５の斜視図である。
【図３】本発明の実施形態における、図２のＡ―Ａ一部断面矢視図である。
【図４】本発明の実施形態における、図２のＢ―Ｂ矢視図である。
【図５】本発明の実施形態における、図２のＣ―Ｃ矢視図である。
【図６】従来の、建築物の外壁本体に設けられる外装パネル用役物３の状態を示す断面図である。
【図７】従来の、他の、建築物の外壁本体に設けられる外装パネル用役物３に第一スリット１０、第二スリット１１が形成された状態を示す斜視図である。
【図８】図７の第一スリット１０の両端部を当接し、第二スリット１１を重ねた外装パネル用役物３の状態を示す斜視図である。
【符号の説明】
【００４０】
２２  外壁本体
２３  外装パネル
２３ａ  下端部
２５  外装パネル用役物
２５ａ  第一垂直材
２５ｂ  第二垂直材
２５ｃ  水平材
２６  胴縁
２６ａ  側面
３５  第一凹部
３６  第二凹部
【図１】
2008267071.tif 000003
【図２】
2008267071.tif 000004
【図３】
2008267071.tif 000005
【図４】
2008267071.tif 000006
【図５】
2008267071.tif 000007
【図６】
2008267071.tif 000008
【図７】
2008267071.tif 000009
【図８】
2008267071.tif 000010